(57)【要約】【課題】  例えば、卵やマヨネーズの如きの具材が設けられたサンドイッチを包装体から無難に取り出すことが出来る技術を提供することである。【解決手段】    物１ａ，１ｂ，１ｃ，１ｄを包装してなる包装体Ａであって、  包装体Ａ内部の物１ａ，１ｂ，１ｃ，１ｄを取り出す開口部４を形成する為の開封用テープ３ａ，３ｂが、複数、設けられてなる。【選択図】    図１
2007153410.tif 000002
【特許請求の範囲】
【請求項１】
物を包装してなる包装体であって、
包装体内部の物を取り出す開口部を形成する為の開封用テープが、複数、設けられてなる
ことを特徴とする包装体。
【請求項２】
物を包装してなる包装体であって、
包装体を開口して内部の物を取り出すことになる面に、開封用テープが、複数、設けられてなる
ことを特徴とする包装体。
【請求項３】
包装体内部の物を取り出すことになる取出面および該取出面に隣接する面の少なくとも二面に跨って、開封用テープが設けられてなることを特徴とする請求項１又は請求項２の包装体。
【請求項４】
開封用テープに繋がる案内手段が設けられてなることを特徴とする請求項１〜請求項３いずれかの包装体。
【請求項５】
複数個の物が一緒に包装されてなり、開封用テープの幅寸法が前記包装されている複数個の物における１個分の厚さ寸法よりも小さなように構成されてなることを特徴とする請求項１〜請求項４いずれかの包装体。
【請求項６】
複数個の物が一緒に包装されてなり、開封用テープ間の寸法が前記包装されている複数個の物における３／２個分の厚さ寸法よりも大きなように開封用テープが設けられてなることを特徴とする請求項１〜請求項５いずれかの包装体。
【発明の詳細な説明】
【技術分野】
【０００１】
本発明は、例えばサンドイッチ等の食品の包装体に関する。
【背景技術】
【０００２】
近年、コンビニエンスストア等におけるサンドイッチ等の食品の販売量は物凄いものである。このような物品の販売時における包装形態は、図６に示される形態が一般的である。図６中、２１ａ，２１ｂ，２１ｃ，２１ｄはサンドイッチである。２２は包装用フィルムである。尚、サンドイッチ２１ａ，２１ｂ，２１ｃ，２１ｄは、その形状が、一般的には、直角二等辺三角形状であり、このような形状の二枚のパンの間に卵・ハム・野菜・チーズなどの具材が適宜挟まれたものである。そして、このようなサンドイッチ２１ａ，２１ｂ，２１ｃ，２１ｄが複数枚組み合わされ、包装用フィルム２２で包装され、販売されている。
【０００３】
さて、上記のような包装形態のサンドイッチを購入した消費者は、包装用フィルム２２を破って開口部を作り、この開口面からサンドイッチを取り出して食する。
【０００４】
このサンドイッチの取出し、即ち、包装用フィルム２２を破って開口部を形成する為、包装体Ｂの背面側に、開封用テープ（ティアテープ）２３が設けられている。すなわち、購入した消費者は、開封用テープ２３に繋がる把持片２３ａを手にし、把持片２３ａを引き下げるように力を作用させると、図７に示される如く、開封用テープ２３の端縁に沿って包装用フィルム２２が破られ、開口部２４が構成されるようになる。
そして、この開口部２４からサンドイッチ２１ａ，２１ｂ，２１ｃ，２１ｄを食べる順に一枚ずつ取り出し、取り出されたサンドイッチを食している。
【発明の開示】
【発明が解決しようとする課題】
【０００５】
ところが、上記のような包装形態のものにおいて、サンドイッチの取り出しは、結構、厄介であり、手間取っていることに気付くに至った。
【０００６】
すなわち、開封用テープ２３が設けられていることから、開封用テープ２３に力を作用させれば、開口部２４を形成することが可能である。
しかしながら、開口部２４の幅が狭いのである。
すなわち、開封用テープ２３の幅は、せいぜい、パン１枚の厚み程度である。従って、開口部２４の幅は、一枚のサンドイッチの厚さの半分程度である。と言うことは、開口部２４から一枚のサンドイッチ２１ａを取り出すに際して、開口部２４の両側のフィルムを横に引っ張って開口幅を拡げたり、開口部２４の両側のフィルム端縁にサンドイッチ２１ａが引っ掛かりながらも無理矢理に取り出すようにしなければならない。
【０００７】
ところが、開口部２４の両側のフィルムを横に引っ張って開口幅を拡げる作業は、片手に包装体Ｂ全体を持っているから、決して、簡単では無い。従って、サンドイッチ２１ａを無理矢理に取り出すような形態になってしまっている。
このような場合、具材が卵やマヨネーズの如きの流動性が有るものの場合、具材が食み出し、場合によっては、手や衣服を汚すことも有る。
【０００８】
従って、本発明が解決しようとする課題は、前記の問題点を解決することである。すなわち、収納物の取り出しがスムーズに行えるようにすることである。例えば、卵やマヨネーズの如きの具材が設けられたサンドイッチを包装体から無難に取り出すことが出来る技術を提供することである。
【課題を解決するための手段】
【０００９】
前記の課題を解決する為の検討が本発明者によって、鋭意、押し進められて行った。
その結果、先ず、最初に、開封用テープ２３の幅を広くすることを考えた。すなわち、これまで、パン１枚の厚さは８〜９ｍｍ程度（従って、１枚のサンドイッチ２１ａの厚さは約２０ｍｍ程度）であり、開封用テープ２３の幅が１０ｍｍ程度であったものを、開封用テープ２３の幅を３０ｍｍ程度にしてみた。
【００１０】
しかしながら、３０ｍｍ幅の開封用テープ２３を包装用フィルム２２に綺麗に設けるのは、結構、大変であった。すなわち、幅広になればなる程、幅広の開封用テープ２３を包装用フィルム２２に綺麗に設け難くなる。例えば、皺が出来たりする。
かつ、それだけ材料コストが高く付く。
しかも、使用後にあっては、ただ、廃棄処分されるに過ぎないものであるから、無駄が多いものとなる。
【００１１】
従って、開封用テープ２３の幅を幅広にする技術は好ましいものでは無いことが判って来た。
【００１２】
そこで、更なる検討が、鋭意、推し進められて行った。
その結果、開封用テープを、複数、例えば２本、並列して設けておけば良いであろうとの啓示を得るに至った。すなわち、２条の開封用テープを設けておき、この２条の開封用テープの箇所を破って行けば、開封用テープに挟まれた中央部分のフィルムが開口されるようになり、それだけ開口幅が大きな開口部を形成できるであろうとの啓示を得るに至った。
【００１３】
上記知見を基にして本発明が達成されたものである。
すなわち、前記の課題は、物を包装してなる包装体であって、
包装体内部の物を取り出す開口部を形成する為の開封用テープが、複数、設けられてなる
ことを特徴とする包装体によって解決される。
【００１４】
特に、物を包装してなる包装体であって、
包装体を開口して内部の物を取り出すことになる面に、開封用テープが、複数、設けられてなる
ことを特徴とする包装体によって解決される。
【００１５】
更には、上記の包装体であって、包装体内部の物を取り出すことになる取出面および該取出面に隣接する面の少なくとも二面に跨って開封用テープが設けられてなることを特徴とする包装体によって解決される。
【００１６】
又、上記の包装体であって、開封用テープに繋がる案内手段が設けられてなることを特徴とする包装体によって解決される。
【００１７】
又、上記の包装体であって、該包装体は複数個の物が一緒に包装されたものであり、開封用テープの幅寸法は前記包装されている複数個の物における１個分の厚さ寸法（特に、半個分の厚さ寸法）よりも小さなように構成されてなることを特徴とする包装体によって解決される。
【００１８】
又、上記の包装体であって、該包装体は複数個の物が一緒に包装されたものであり、開封用テープ間の寸法が前記包装されている複数個の物における３／２個分の厚さ寸法（特に、２個分の厚さ寸法）よりも大きなように開封用テープが設けられてなることを特徴とする包装体によって解決される。
【発明の効果】
【００１９】
本発明にあっては、包装体内部のものを取り出す為、開口幅が大きな開口部を簡単に形成できる。従って、例えば卵やマヨネーズの如きの具材が設けられたサンドイッチを包装体から無難に取り出すことが出来るようになる。すなわち、取り出しに際して、卵やマヨネーズ等の具材がパンから食み出して来て、手に付いたり、又、衣服を汚したりすると言った事故を大幅に防止できる。
【００２０】
さて、しかしながら、上記特長を奏する為に設ける開封用テープは従来に比べて大幅に多くなるものでは無い。却って、少なくすることすら可能である。従って、材料コストが大幅にアップするものでは無い。却って、材料コストの低下にもなる。そして、使用後にあっては廃棄されるものであるから、資源の無駄遣いを少なくできる。
【００２１】
尚、包装体内部の物を取り出すことになる取出面および該取出面に隣接する面の少なくとも二面に跨って開封用テープが設けられていると、開封用テープによる開口部の形成が確実なものとなり、一層好ましい。
【００２２】
又、開封用テープに繋がる案内手段が設けられていると、開封用テープによる包装体フィルムを破って開口部を形成するに際して、開口部の形成が確実なものになる。
【００２３】
又、開封用テープの幅寸法を包装されている複数個の物における１個分の厚さ寸法（特に、半個分の厚さ寸法）よりも小さなように構成しても問題が無く、そしてこのように構成させた場合には資源の無駄遣いを抑制できる。
【００２４】
又、開封用テープ間の寸法が包装されている複数個の物における３／２個分の厚さ寸法（特に、２個分の厚さ寸法）よりも大きなように開封用テープが設けられていると、形成される開口部の幅を十分に確保でき、取り出しが特にスムーズに行われる。
【発明を実施するための最良の形態】
【００２５】
本発明になる包装体は、物を包装してなる包装体であって、包装体内部の物を取り出す開口部を形成する為の開封用テープが、複数、設けられてなる。特に、包装体を開口して内部の物を取り出すことになる面に、開封用テープが、複数、設けられてなる。そして、開封用テープは互いに離れて設けられている。前記の開封用テープは、包装体内部の物を取り出すことになる取出面のみに設けられたものでも良いが、特に、包装体内部の物を取り出すことになる取出面および該取出面に隣接する面の少なくとも二面に跨って連続して設けられる。又、開封用テープに繋がる案内手段が、特に、設けられている。又、開封用テープの幅寸法が包装されている複数個の物における１個分（特に、半個分）の厚さ寸法よりも小さなように構成されている。又、開封用テープ間の寸法が包装されている複数個の物における３／２個分（特に、２個分）の厚さ寸法よりも大きなように開封用テープが設けられている。
以下、具体的な実施例を挙げて本発明を説明する。
【００２６】
図１〜図４は本発明になる包装体の実施形態を示すもので、図１は開口部形成前における背面側からの斜視図、図２は開口部形成前における底面側からの斜視図、図３は開口途中における背面側からの斜視図、図４は開口部形成後における背面側からの斜視図である。
【００２７】
各図中、１ａ，１ｂ，１ｃ，１ｄはサンドイッチである。２は包装用フィルムである。尚、サンドイッチ１ａ，１ｂ，１ｃ，１ｄは、その形状が、一般的には、直角二等辺三角形状であり、このような形状の二枚のパンの間に卵・ハム・野菜・チーズなどの具材が適宜挟まれたものである。そして、このようなサンドイッチ１ａ，１ｂ，１ｃ，１ｄが複数組み合わされ、包装用フィルム２で包装されている。従って、包装用フィルム２での包装体Ａの形状は直角二等辺三角形柱状である。
【００２８】
上記のような直角二等辺三角形柱状の包装体Ａにおいて、傾斜面側が、通常、前面側になっている。そして、この前面（傾斜面）側にあっては、サンドイッチ１ａ，１ｂ，１ｃ，１ｄの前面（端面）にまで具材が設けられている。すなわち、陳列状態において、サンドイッチ１ａ，１ｂ，１ｃ，１ｄに挟まれている具材が何かが判るようになっている。そして、サンドイッチ１ａ，１ｂ，１ｃ，１ｄに挟まれている具材が前面（端面）にまで食み出るように設けられていることから、包装体Ａの内側の前面側にはインナーフィルム（図示せず）が設けられている。すなわち、インナーフィルムによって包装体Ａが具材によって汚染されるのを防いでいる。
【００２９】
３ａ，３ｂは開封用テープ（ティアテープ）である。開封用テープ３ａと開封用テープ３ｂとは、本実施形態では、互いに平行であるよう設けられている。特に、開封用テープ３ａと開封用テープ３ｂとの間隔が、例えばサンドイッチ二つ〜三つ分（パン４枚〜６枚分）程度の厚さ有るように離れて設けられている。尚、開封用テープ３ａと開封用テープ３ｂとは、下側が広がった「八」形状であるよう設けられていても良い。又、斜めに設けられていても良い。
【００３０】
開封用テープ３ａ，３ｂは、図１に示される通り、包装体Ａの取出面（開口面）となる背面相当箇所の包装用フィルム２の内面側に設けられている。尚、ここで、開封用テープ３ａ，３ｂを包装体Ａの背面相当箇所に設けたのは、次の理由による。すなわち、包装用フィルム２とサンドイッチ１ａ，１ｂ，１ｃ，１ｄとの間には前述のインナーフィルムが設けられている。従って、開封用テープ３ａ，３ｂを包装体Ａの前面相当箇所に設けたのでは、前面相当箇所に開口部を形成しても、インナーフィルムの存在によってサンドイッチ１ａ，１ｂ，１ｃ，１ｄの取り出しが困難であるからによる。
【００３１】
開封用テープ３ａ，３ｂは、図２にも示される通り、包装体Ａの取出面（開口面）となる背面相当箇所の包装用フィルム２に設けられているだけでは無く、包装体Ａの取出面（開口面）に隣接の下面相当箇所の包装用フィルム２にも連続して設けられている。これは、次の理由による。すなわち、開封用テープ３ａ，３ｂが下面にまで延びていると、開封用テープ３ａ，３ｂに引下力（引剥力）を作用させ、包装用フィルム２の背面箇所を破って開口部４を形成した場合、図４に示される如く、開口部４が包装体の下面（背面の下端）にまで形成されるようになるからである。つまり、上下方向においても開口部４が確実に大きく形成されるようになるからである。
【００３２】
５は把持片である。すなわち、把持片５を持って下方に引っ張ることにより、力が包装用フィルム２に作用し、開封用テープ３ａ，３ｂに沿って包装用フィルム２が破られ、開口部４が形成されるようにする為のものである。従って、開封用テープ３ａ，３ｂは、把持片５の部分から包装体Ａの取出面（開口面）となる背面に連続して設けられている。尚、６は把持片５に図示されたオープンマークであり、この箇所を持って引っ張って下さいと言うことを示唆するものである。
【００３３】
７は、把持片５にまで延在して設けられている開封用テープ３ａ，３ｂに繋がって設けられた補強材（案内手段）である。この補強材７は、包装用フィルム２に対して別のフィルムを溶着などで設けたものである。勿論、その他の適宜な手段を用いて構成することも出来る。ここで、補強材７を設けたのは次の理由による。すなわち、把持片５を持って下方に引っ張った場合、補強材７の存在によって、力が開封用テープ３ａ，３ｂに確実に案内・伝達され、開封用テープ３ａ，３ｂに沿って包装用フィルム２が破れ易くする為である。
【００３４】
さて、上記のように構成させた包装形態のサンドイッチを購入した消費者は、把持片５を持って下方に引っ張ることにより、力が包装用フィルム２に作用し、開封用テープ３ａ，３ｂに沿って包装用フィルム２が破られ、開口部４が形成されるようになる。ここで、開口部４の幅は、図３，４と図７との対比からも判る通り、開口部２４の幅よりも広い。従って、内部に収納されているサンドイッチの取り出しが非常に簡単に行える。格別にフィルムを拡げるような作業をしなくても済む。そして、取り出しに際して、サンドイッチがフィルム端縁に接するようなことも少ないから、衛生的でもある。例えば、具材が卵やマヨネーズの如きの流動性が有るものの場合でも、取り出しに際して、具材が食み出すようなことは起き難く、手や衣服を汚すことは起き難い。
【００３５】
又、開口を大きくする為に用いる開封用テープの量が多くなるものでも無い。例えば、上記実施形態における開封用テープ３ａ，３ｂの幅は２〜３ｍｍ程度であり、２本の開封用テープを足した場合でも、その総和の幅は４〜６ｍｍ程度であり、従来の１本の開封用テープ２３の幅１０ｍｍ程度よりも少ない。従って、材料コストも低廉である。尚、開封用テープ３ａ，３ｂの幅は、開封用テープ３ａ，３ｂの構成資材の物理的強度によっても相違するが、一般的には、１ｍｍ以上、好ましくは２ｍｍ以上も有れば良い。
【００３６】
又、開封用テープ１本１本の幅は狭いから、開封用テープ３ａ，３ｂを綺麗に、かつ、簡単に設けることが出来る。
【００３７】
図５は、本発明になる包装体の他の実施形態を示すもので、開口部形成前における背面側からの斜視図である。
【００３８】
本実施形態のものは、基本的には、前記実施形態の構成要素を備えている。すなわち、前記実施形態の包装体Ａの背面側（開封用テープ３ａ，３ｂ配設面側）のフイルム表面にシール材８が貼付されたものである。尚、このシール材８表面には、サンドイッチに関する各種情報が印刷されている。そして、このようなシール材８が貼付されているのが、今日では、通常である。
【００３９】
さて、上記のようなシール材８が貼付されている形態のものにおいて、従来の如く、開封用テープが中央位置に１本の場合、その幅が１０ｍｍの如きの幅広なものであっても、シール材によって包装体フィルムは強く補強されているので、開封用テープに力を作用させても、包装体フィルムは中々破れず、開口部が形成され難い。この為、開口部が形成され易いようにシール材の一端側には、例えばＶ形状のノッチ、或いは切り目を形成している。しかしながら、シール材を上下を逆にして貼付すると、前記ノッチや切り目が形成されていない側が上に来てしまう。ところで、このような上下を逆にして貼付することは、忙しい場合には、しばしば、起き得る。そして、このような場合には、開口部が形成されないことになる。
【００４０】
しかしながら、本実施形態の如く、シール材８の端部近傍に対応して開封用テープ３ａ，３ｂを設けていると、シール材８の一端側にノッチや切り目が形成されてなくとも、簡単に、開口部４が形成されるようになる。すなわち、シール材８が端縁部においてフィルムから剥離されるようにフィルム２が破り取られるからである。従って、シール材８が設けられるような場合においては、シール材８の端部近傍に対応して開封用テープ３ａ，３ｂが設けられることは非常に好ましい。勿論、シール材８の外側に開封用テープ３ａ，３ｂが設けられていても良いが、シール材８への印刷情報量が多いことから、シール材８の幅は包装体Ａの背面の両端縁の近くまで有ることが多く、このようなことから、シール材８の内側近傍に開封用テープ３ａ，３ｂが設けられるケースが多いものである。
【図面の簡単な説明】
【００４１】
【図１】本発明の包装体の開口前における背面側からの斜視図
【図２】本発明の包装体の開口前における底面側からの斜視図
【図３】本発明の包装体の開口途中における背面側からの斜視図
【図４】本発明の包装体の開口後における背面側からの斜視図
【図５】本発明の包装体の他の実施形態の背面側からの斜視図
【図６】従来のサンドイッチ包装体の斜視図
【図７】従来のサンドイッチ包装体の開口状態の斜視図
【符号の説明】
【００４２】
Ａ                      包装体
１ａ，１ｂ，１ｃ，１ｄ  サンドイッチ
２                      包装用フィルム
３ａ，３ｂ              開封用テープ
４                      開口
５                      把持片
７                      補強材（案内手段）
８                      シール材
代  理  人  宇      高      克      己
【図１】
2007153410.tif 000003
【図２】
2007153410.tif 000004
【図３】
2007153410.tif 000005
【図４】
2007153410.tif 000006
【図５】
2007153410.tif 000007
【図６】
2007153410.tif 000008
【図７】
2007153410.tif 000009